(57)【要約】【課題】プラグと給電回路との電気的接続を確実に確保しつつ、ＡＣアダプタに対する小型化の要求に応える。【解決手段】第１ケース１０は、給電回路基板４０を収容する収容空間の一部を区画している。第１ケース１０に支持された一対のプラグの各々は、溝を有する根元部３２を備えている。給電回路基板４０上には、一対の面状導電部４２が形成されている。給電回路基板４０の前端部４０ｃは、根元部３２の溝に挿入される。このとき、溝の一部を区画する第２導電端子部３２ｂが、面状導電部４２に接触する。【選択図】図６
2015128037.tif 000002
【特許請求の範囲】
【請求項１】
結合されて収容空間を区画している第１ケースおよび第２ケースと、
前記第１ケースに支持された一対のプラグと、
前記収容空間に収容された給電回路基板と、
前記給電回路基板上に形成された一対の面状導電部と、
を備えており、
前記一対のプラグの各々は、溝を区画する第１導電端子部と第２導電端子部を有する根元部を備えており、
前記給電回路基板の一部は前記溝に挿入され、前記面状導電部は、前記第１導電端子部と前記第２導電端子部の少なくとも一方と接触している、ＡＣアダプタ。
【請求項２】
前記第１導電端子部と前記第２導電端子部の少なくとも一方は、弾性変形可能とされている、請求項１に記載のＡＣアダプタ。
【請求項３】
前記面状導電部は、メッシュ状の導電パターンを含んで形成されている、請求項１または２に記載のＡＣアダプタ。
【請求項４】
前記一対のプラグの各々は、前記第１ケースの外側に配置された第１部分、および前記第１ケースと一体に成形されて前記収容空間内に露出する第２部分を含んでおり、
前記根元部は、前記第２部分に加締め固定されている、請求項１から３のいずれか一項に記載のＡＣアダプタ。
【請求項５】
前記給電回路基板上に設けられたコネクタをさらに備えており、
前記第１ケースは、前記コネクタの第１部分を保持する第１保持部を有しており、
前記第２ケースは、前記コネクタの第２部分を保持する第２保持部を有しており、
前記第１部分は、前記第２部分よりも大きい、請求項１から４のいずれか一項に記載のＡＣアダプタ。
【発明の詳細な説明】
【技術分野】
【０００１】
本発明は、ＡＣアダプタに関する。
【背景技術】
【０００２】
２つのケース体が結合されることにより区画される収容空間に、給電回路基板が収容された構成を有するＡＣアダプタが知られている（例えば、特許文献１を参照）。このＡＣアダプタにおいては、２つのケース体の一方には一対のプラグが支持されており、給電回路基板上には一対の接点端子が設けられている。各接点端子は、給電回路基板の法線方向に延びる一対の端子片を有している。プラグを支持しているケースに給電回路基板を装着することにより、各プラグの基端部が一対の端子片により挟持され、各プラグと給電回路との電気的接続が確保される。
【先行技術文献】
【特許文献】
【０００３】
【特許文献１】特開２００９−１９９７２３号公報
【発明の概要】
【発明が解決しようとする課題】
【０００４】
ＡＣアダプタに対する小型化の要求に伴い、収容空間が狭くなる傾向にある。これにより、上記のような構造を有する接点端子が設けられるスペースを給電回路基板上に確保することが困難になってきている。
【０００５】
よって本発明は、プラグと給電回路との電気的接続を確実に確保しつつ、ＡＣアダプタに対する小型化の要求に応える技術を提供することを目的とする。
【課題を解決するための手段】
【０００６】
上記の目的を達成するために、本発明がとりうる一態様は、ＡＣアダプタであって、
結合されて収容空間を区画している第１ケースおよび第２ケースと、
前記第１ケースに支持された一対のプラグと、
前記収容空間に収容された給電回路基板と、
前記給電回路基板上に形成された一対の面状導電部と、
を備えており、
前記一対のプラグの各々は、溝を区画する第１導電端子部と第２導電端子部を有する根元部を備えており、
前記給電回路基板の一部は前記溝に挿入され、前記面状導電部は、前記第１導電端子部と前記第２導電端子部の少なくとも一方と接触している。
【０００７】
面状導電部は、給電回路基板の法線方向に延びる部分を含む立体的な構造を有していないため、給電回路基板上において各プラグとの電気的接続を確保するためのレイアウト自由度が高い。給電回路基板の小型化を優先するように回路素子の配置を決定できるため、給電回路基板の収容空間が小さくなる。また、立体的な構造を有する導電端子の場合、はんだ付けによる給電回路基板への固定時やプラグとの嵌合時に位置ずれや基板からの浮きが生ずる可能性が皆無でない。上記の構成によれば、面状導電部が給電回路基板上に直接形成されているため、給電回路基板に対する位置ずれや浮きを回避できる。したがって、プラグと給電回路との電気的接続を確実に確保しつつも、小型化の要求に応えるＡＣアダプタを提供できる。
【０００８】
前記第１導電端子部と前記第２導電端子部の少なくとも一方は、弾性変形可能とされている構成としてもよい。
【０００９】
このような構成によれば、第１導電端子部と第２導電端子部により区画される溝に給電回路基板の一部が挿入された際に、面状導電部に対し、第１導電端子部と第２導電端子部の少なくとも一方が弾性接触する。これにより、両者を小型化して接触面積を小さくしても、弾性圧力によって良好な接触状態が容易に確保できる。したがって、プラグと給電回路との電気的接続を確実に確保しつつも、小型化の要求に応えるＡＣアダプタを提供できる。
【００１０】
前記面状導電部は、メッシュ状の導電パターンを含んで形成されている構成としてもよい。
【００１１】
このような構成によれば、過剰な量のはんだが導電パターン上に載ることを防止できる。すなわち、必要最小限量のはんだが薄く均一に広がったはんだ層を導電パターン上に形成できる。これにより、はんだの量を抑制してはんだ層の厚みが増すことを回避できるのみならず、はんだ層の厚みが部分的に変化することによる接触不良を回避できる。したがって、プラグと給電回路との電気的接続を確実に確保しつつも、小型化の要求に応えるＡＣアダプタを提供できる。
【００１２】
前記一対のプラグの各々は、前記第１ケースの外側に配置された第１部分、および前記第１ケースと一体に成形されて前記収容空間内に露出する第２部分を含んでいる構成としてもよい。この場合、前記根元部は、前記第２部分に加締め固定されている。
【００１３】
ＡＣアダプタが有するプラグの第１部分の形状は、使用される国が採用している標準により相違する。本実施形態の構成によれば、第２部分を含む製品の出荷先に応じた形状を有する部分を予め第１ケースと一体成型しておくことにより、第１部分および第２部分を第１ケースに組み付ける作業を不要にできる。一方、根元部と給電回路基板は、製品の出荷先に依らず、小型化を志向して仕様を共通化あるいは標準化できる。したがって、プラグと給電回路との電気的接続を確実に確保しつつも、小型化の要求に応えるＡＣアダプタを提供できる。さらに部品の共通化あるいは標準化を通じて、製造コストを抑制できる。
【００１４】
前記給電回路基板上に設けられたコネクタをさらに備えている構成としてもよい。この場合、前記第１ケースは、前記コネクタの第１部分を保持する第１保持部を有しており、  前記第２ケースは、前記コネクタの第２部分を保持する第２保持部を有している。前記第１部分は、前記第２部分よりも大きい。
【００１５】
ＡＣアダプタのプラグをコンセントに対して抜き差しする際には、プラグの根元部付近に大きな応力が加わる傾向にある。ＡＣアダプタ自体が小型化されることにより、この傾向はより顕著となる。本実施形態においては、各プラグの根元部が配置されている第１ケースにコネクタを保持させることにより、給電経路を短くして給電回路基板の小型化を図っている。一方で、コネクタが第１保持部に保持される第１部分を第２保持部に保持される第２部分よりも大きくしているため、応力の発生源により近い側の構造が強固となり、当該応力によるコネクタの破損や導通不良を回避できる。したがって、プラグと給電回路との電気的接続を確実に確保しつつ、小型化の要求に応えるＡＣアダプタを提供できる。
【発明の効果】
【００１６】
本発明によれば、プラグと給電回路との電気的接続を確実に確保しつつ、ＡＣアダプタに対する小型化の要求に応えることができる。
【図面の簡単な説明】
【００１７】
【図１】本発明の第１実施形態に係るＡＣアダプタを示す５面図である。
【図２】上記ＡＣアダプタが備える第１ケースと第２ケースを示す斜視図である。
【図３】上記第１ケースに支持されたプラグの根元部を示す斜視図である。
【図４】上記根元部の構成を示す図である。
【図５】上記ＡＣアダプタが備える給電回路基板を示す斜視図である。
【図６】上記給電回路基板が上記第１ケースに装着された状態を示す斜視図である。
【図７】本発明の第２実施形態に係るＡＣアダプタが備える第１ケースを示す斜視図である。
【図８】図７のＡＣアダプタが備えるプラグを示す斜視図である。
【図９】図７の第１ケースに給電回路基板が装着された状態を示す斜視図である。
【発明を実施するための形態】
【００１８】
添付の図面を参照しつつ、本発明に係る実施形態の例について以下詳細に説明する。なお以下の説明に用いる各図面では、各部材を認識可能な大きさとするために縮尺を適宜変更している。また「前後」「左右」「上下」という表現は、説明の便宜のために用いるものであり、実際の使用状態における姿勢や方向を限定するものではない。
【００１９】
図１は、本発明の第１実施形態に係るＡＣアダプタ１を示す５面図である。図１の（ａ）は正面図である。図１の（ｂ）は上面図である。図１の（ｃ）は底面図である。図１の（ｄ）は右側面図である。図１の（ｅ）は背面図である。左側面から見た形状は右側面図に示したものと対称であるため、図示を省略する。
【００２０】
図１の（ｂ）、（ｃ）、（ｄ）に示すように、ＡＣアダプタ１は、第１ケース１０と第２ケース２０を備えている。図２の（ａ）は、第１ケース１０を前方から見た斜視図である。図２の（ｂ）は、第２ケース２０を前方から見た斜視図である。図３の（ａ）は、第１ケース１０を後方から見た斜視図である。
【００２１】
図３の（ａ）に示すように、第１ケース１０は、後方に開口する第１中空部１１を区画する前壁１２と周壁１３を有している。図２の（ｂ）に示すように、第２ケース２０は、前方に開口する第２中空部２１を区画する後壁２２と周壁２３を有している。第１ケース１０と第２ケース２０は、周壁１３と周壁２３が結合されることにより、第１中空部１１と第２中空部２１を含む収容空間を内部に区画している。
【００２２】
図１に示すように、ＡＣアダプタ１は、一対のプラグ３０を備えている。図２の（ａ）に示すように、各プラグ３０は、ブレード部３１を有している。ブレード部３１は、第１ケース１０の前壁１２に支持されている。ブレード部３１は、導電性の材料により形成されている。
【００２３】
図３の（ａ）に示すように、各プラグ３０は、根元部３２を有している。根元部３２は、第１ケース１０の第１中空部１１内に配置されている。根元部３２は、導電性の材料により形成されている。
【００２４】
図４の（ａ）は、根元部３２を側方から見た構成を示す図である。図４の（ｂ）は、根元部３２を後方から見た構成を示す図である。根元部３２は、第１導電端子部３２ａと第２導電端子部３２ｂを有している。第１導電端子部３２ａと第２導電端子部３２ｂは、両者の間に溝３２ｃを区画している。
【００２５】
ＡＣアダプタ１は、給電回路基板４０を備えている。図５の（ａ）は、給電回路基板４０を上方から見た斜視図である。給電回路基板４０の上面４０ａには、給電回路の一部を構成する図示しない回路素子群とコネクタ４１が配置されている。給電回路は、交流電圧を直流電圧に変換する回路を含んでいる。コネクタ４１は、例えばＵＳＢコネクタである。給電回路により変換された直流電圧は、コネクタ４１に接続された相手側コネクタを介して外部機器に供給される。
【００２６】
図５の（ｂ）は、給電回路基板４０を下方から見た斜視図である。給電回路基板４０の下面４０ｂには、一対の面状導電部４２が形成されている。例えば、面状導電部４２は、導電パターン上に形成されたはんだ層である。ここで「面状」とは、給電回路基板４０の下面４０ｂと実質的に同一平面をなす程度の厚みを有する構造を意味し、回路基板の法線方向に延びる部分を有する立体的な構造（特許文献１を参照）を区別する。
【００２７】
図６は、第１ケース１０に対して給電回路基板４０が装着された状態を示す斜視図である。このとき、給電回路基板４０の前端部４０ｃ（給電回路基板の一部の一例）は、各プラグ３０の根元部３２において第１導電端子部３２ａと第２導電端子部３２ｂにより区画された溝３２ｃに挿入されている。この状態において、各根元部３２の第２導電端子部３２ｂは、給電回路基板４０の下面４０ｂに形成された一対の面状導電部４２の対応する１つに接触している。これにより、各プラグ３０が有するブレード部３１が、根元部３２と面状導電部４２を介して給電回路基板４０上の給電回路と電気的に接続されている。
【００２８】
図３の（ａ）と（ｂ）に示すように、第１ケース１０の中空部１１における右端部には、上下方向に対向する一対の位置決め突起１５が設けられている。中空部１１の左端部にも一対の位置決め突起１５が形成されている（下側の突起は図９の（ｂ）を参照）。上記のように給電回路基板４０が装着されると、給電回路基板４０の左右方向両端部は、それぞれ一対の位置決め突起１５により挟持され、上下方向の位置決めがなされる。これにより、小型化の要求に応えつつも、プラグ３０と給電回路との電気的接続の確保が確実になされる。
【００２９】
図６に示す状態から、第２ケース２０が第１ケース１０と結合されることにより、給電回路基板４０は、第１ケース１０と第２ケース２０により区画される収容空間内に収容される。
【００３０】
以上説明したように、本実施形態に係るＡＣアダプタ１においては、面状導電部４２が給電回路基板４０上に形成されている。面状導電部４２は、給電回路基板４０の法線方向に延びる部分を含む立体的な構造を有していないため、給電回路基板４０上において各プラグ３０との電気的接続を確保するためのレイアウト自由度が高い。給電回路基板４０の小型化を優先するように回路素子の配置を決定できるため、給電回路基板４０の収容空間が小さくなる。また、立体的な構造を有する導電端子の場合、はんだ付けによる給電回路基板への固定時やプラグとの嵌合時に位置ずれや基板からの浮きが生ずる可能性が皆無でない。本実施形態の構成によれば、面状導電部４２が給電回路基板上に直接形成されているため、給電回路基板４０に対する位置ずれや浮きを回避できる。したがって、プラグ３０と給電回路との電気的接続を確実に確保しつつも、小型化の要求に応えるＡＣアダプタ１を提供できる。
【００３１】
例えば本実施形態のように、給電回路基板４０の下面４０ｂのみに面状導電部４２が形成されている構成の場合、給電回路基板４０の上面４０ａにおいて面状導電部４２と対向する位置も、回路素子や回路配線の設置スペースとして活用できる。したがって、小型化の要求により小さくなる給電回路基板４０の面積を最大限に活用して給電回路を形成できる。このことによっても、給電回路基板４０の収容空間が小さくなるため、プラグ３０と給電回路との電気的接続を確実に確保しつつも、小型化の要求に応えるＡＣアダプタ１を提供できる。
【００３２】
給電回路基板４０の上面４０ａに適当なスペースが確保できるのであれば、上面４０ａにも面状導電部を形成してもよい。この場合、給電回路基板４０の前端部４０ｃがプラグ３０の根元部３２に区画された溝３２ｃに挿入された状態において、根元部３２の第１導電端子部３２ａが、上面４０ａ上に形成された面状導電部に接触する。プラグ３０の根元部３２との接触面積が増大するため、電気的接続の安定性が向上する。
【００３３】
図４の（ａ）に示すように、各プラグ３０の根元部３２は、導電性材料からなる板を打ち抜き、曲げ加工することによって形成されている。特に第２導電端子部３２ｂは、同図における上下方向に弾性変形可能となるように曲げ加工がなされている。
【００３４】
このような構成によれば、第１導電端子部３２ａと第２導電端子部３２ｂにより区画される溝３２ｃに給電回路基板４０の前端部４０ｃが挿入された際に、給電回路基板４０の下面４０ｂに形成された面状導電部４２に対し、第２導電端子部３２ｂが弾性接触する。これにより、第２導電端子部３２ｂと面状導電部４２を小型化して接触面積を小さくしても、弾性圧力によって良好な接触状態が容易に確保できる。したがって、プラグ３０と給電回路との電気的接続を確実に確保しつつも、小型化の要求に応えるＡＣアダプタ１を提供できる。
【００３５】
本実施形態においては、第２導電端子部３２ｂのみが弾性変形可能とされている。しかしながら、これに加えてあるいは代えて、第１導電端子部３２ａを弾性変形可能としてもよい。第１導電端子部３２ａのみが弾性変形可能な構成によっても、第２導電端子部３２ｂと面状導電部４２との弾性接触が実現可能である。第１導電端子部３２ａと第２導電端子部３２ｂの双方が弾性変形可能な構成である場合、溝３２ｃに挿入された給電回路基板４０の前端部４０ｃを堅固に挟持できる。
【００３６】
図５の（ｂ）に示すように、各面状導電部４２は、メッシュ状の導電パターンを含んで成されている。具体的には、メッシュ形状を呈するように形成された導電パターン上に、はんだ層が形成されている。
【００３７】
このような構成によれば、過剰な量のはんだが導電パターン上に載ることを防止できる。すなわち、必要最小限量のはんだが薄く均一に広がったはんだ層を導電パターン上に形成できる。これにより、はんだの量を抑制してはんだ層の厚みが増すことを回避できるのみならず、はんだ層の厚みが部分的に変化することによる接触不良を回避できる。したがって、プラグ３０と給電回路との電気的接続を確実に確保しつつも、小型化の要求に応えるＡＣアダプタ１を提供できる。
【００３８】
本実施形態においては、各プラグ３０のブレード部３１と根元部３２は別体とされている。図３の（ｂ）は、各根元部３２を取り外した状態を示している。各ブレード部３１は、第１部分３１ａと第２部分３１ｂを有している。図２の（ａ）に示すように、第１部分３１ａは、第１ケース１０の外側に配置されている。図３の（ｂ）に示すように、第２部分３１ｂは、第１ケース１０の第１中空部１１内に露出している。各第２部分３１ｂは、第１ケース１０の前壁１２と一体に成形されている。各第２部分３１ｂは、一対の加締め片３１ｃを有している。
【００３９】
図４の（ｂ）に示すように、各プラグ３０の根元部３２には、一対の加締め孔３２ｄが形成されている。各根元部３２は、対応するブレード部３１の第２部分３１ｂに装着される。このとき、第２部分３１ｂに形成された一対の加締め片３１ｃが、一対の加締め孔３２ｄを挿通する。加締め片３１ｃを折り曲げることにより、各根元部３２が対応する第２部分３１ｂに対して固定される。
【００４０】
ＡＣアダプタが有するブレード部の形状は、使用される国が採用している標準により相違する。本実施形態の構成によれば、製品の出荷先に応じた形状を有するブレード部３１を予め第１ケースと一体成型しておくことにより、ブレード部３１を第１ケースに組み付ける作業を不要にできる。一方、根元部３２と給電回路基板４０は、製品の出荷先に依らず、小型化を志向して仕様を共通化あるいは標準化できる。したがって、プラグ３０と給電回路との電気的接続を確実に確保しつつも、小型化の要求に応えるＡＣアダプタ１を提供できる。さらに、部品の共通化あるいは標準化を通じて、製造コストを抑制できる。
【００４１】
図２の（ａ）に示すように、第１ケース１０は、給電回路基板４０上に設けられたコネクタ４１を保持する第１保持部１４を有している。図６は、コネクタ４１の一部（コネクタの第１部分の一例）が第１保持部１４に保持された状態を示している。一方、図２の（ｂ）に示すように、第２ケース２０は、コネクタ４１の残りの一部（コネクタの第２部分の一例）を保持する第２保持部２４を有している。
【００４２】
図１の（ｃ）に示すように、コネクタ４１が第１ケース１０の第１保持部１４に保持されている部分４１ａ（第１部分の一例）は、コネクタ４１が第２ケース２０の第２保持部２４に保持されている部分４１ｂ（第２部分の一例）よりも大きい。
【００４３】
ＡＣアダプタのプラグをコンセントに対して抜き差しする際には、プラグの根元部付近に大きな応力が加わる傾向にある。ＡＣアダプタ自体が小型化されることにより、この傾向はより顕著となる。本実施形態においては、各プラグ３０の根元部３２が配置されている第１ケース１０にコネクタ４１を保持させることにより、給電経路を短くして給電回路基板４０の小型化を図っている。一方で、コネクタ４１が第１保持部１４に保持される部分４１ａを第２保持部２４に保持される部分４１ｂよりも大きくしているため、応力の発生源により近い側の構造が強固となり、当該応力によるコネクタ４１の破損や導通不良を回避できる。したがって、プラグ３０と給電回路との電気的接続を確実に確保しつつも、小型化の要求に応えるＡＣアダプタ１を提供できる。
【００４４】
図３の（ａ）と（ｂ）に示すように、第１保持部１４には溝１４ａが形成されている。一方、図５の（ａ）と（ｂ）に示すように、コネクタ４１は、鍔部４１ｃを備えている。図６に示すように電気回路基板４０が装着されると、鍔部４１ｃが溝１４ａに挿入される。これにより、コネクタ４１の位置決めと保持が確実になされるため、応力によるコネクタ４１の破損や導通不良をより確実に回避できる。
【００４５】
次に、図７から図９を参照しつつ、本発明の第２実施形態に係るＡＣアダプタについて説明する。図７の（ａ）は、当該ＡＣアダプタが備える第１ケース１０Ａを前方から見た斜視図である。図７の（ｂ）は、第１ケース１０Ａを後方から見た斜視図である。第１実施形態に係る第１ケース１０と同一または同等の構成要素については同一の参照番号を付与し、繰り返しとなる説明は省略する。
【００４６】
図７の（ａ）に示すように、第１ケース１０Ａの前壁１２の一部には、前方へ突出する突出部１２ａが形成されている。図７の（ｂ）に示すように、突出部１２ａの内側は、第１中空部１１に連通する凹部１１ａを区画している。
【００４７】
図８は、本実施形態に係るＡＣアダプタが備えるプラグ３０Ａを示す斜視図である。プラグ３０Ａは、一対のブレード部３１Ａを備えている。図７の（ａ）に示すように、一対のブレード部３１Ａは、突出部１２ａの前面に支持されている。各ブレード部３１Ａは、導電性の材料により形成されている。各ブレード部３１Ａの延びる方向に直交する向きの断面形状は円形である。
【００４８】
各ブレード部３１Ａは、第１部分３１Ａａと第２部分３１Ａｂを有している。図７の（ａ）に示すように、第１部分３１Ａａは、第１ケース１０Ａの外側に配置されている。図７の（ｂ）に示すように、第２部分３１Ａｂは、第１ケース１０の凹部１１ａ内に露出している。各第２部分３１Ａｂは、突出部１２ａの前壁と一体に成形されている。
【００４９】
図８に示すように、プラグ３０Ａは、一対の根元部３２Ａを備えている。各根元部３２Ａは、第１部分３２Ａａ、第２部分３２Ａｂ、第３部分３２Ａｃ、および導電端子部３２Ａｄを備えている。
【００５０】
各根元部３２Ａの第１部分３２Ａａは、係止穴を有している。各根元部３２Ａが第１ケース１０Ａの後方から凹部１１ａに挿入されることにより、凹部１１ａ内において露出している対応するブレード部３１Ａの第２部分３１Ａｂが当該係止穴を貫通する。これにより、各根元部３２Ａの第１部分３２Ａａと対応するブレード部３１Ａの第２部分３１Ａｂが、機械的および電気的に接続される。
【００５１】
各根元部３２Ａの第２部分３２Ａｂは、第１部分３２Ａａに連続して前後方向に延びている。第２部分３２Ａｂは、凹部１１ａ内に配置されている。各根元部３２Ａの第３部分３２Ａｃは、第２部分３２Ａｂに連続して上下方向に延びている。第３部分３２Ａｃは、中空部１１内における凹部１１ａの外側に配置されている。
【００５２】
各根元部３２Ａの導電端子部３２Ａｄは、第３部分３２Ａｃに連続して後方に延び、次いで前方に折り曲げられている。これにより、導電端子部３２Ａｄは、上下方向に弾性変形可能とされている。
【００５３】
図９の（ａ）と（ｂ）は、第１ケース１０Ａに対して給電回路基板４０が装着された状態を示す斜視図である。給電回路基板の前端部４０ｃは、各根元部３２Ａの第３部分３２Ａｃに当接することにより、前後方向の位置決めがなされる。この状態において、各根元部３２Ａの導電端子部３２Ａｄは、給電回路基板４０の下面４０ｂに形成された対応する面状導電部４２（図６参照）に接触している。これにより、各ブレード部３１Ａが、対応する根元部３２Ａと面状導電部４２を介して給電回路基板４０上の給電回路と電気的に接続される。
【００５４】
上記の実施形態は本発明の理解を容易にするためのものであって、本発明を限定するものではない。本発明は、その趣旨を逸脱することなく変更・改良され得ると共に、本発明にはその等価物が含まれることは明らかである。
【００５５】
第１実施形態と第２実施形態を参照して例示したように、根元部３２、３２Ａの形状は、ブレード部３１、３１Ａや給電回路基板４０の仕様に応じて適宜に定められうる。
【符号の説明】
【００５６】
１：ＡＣアダプタ、１０：第１ケース、１１：第１中空部、１４：第１保持部、２０：第２ケース、２１：第２中空部、２４：第２保持部、３０：プラグ、３１：ブレード部、３１ａ：ブレード部の第１部分、３１ｂ：ブレード部の第２部分、３１ｃ：加締め片、３２：根元部、３２ａ：第１導電端子部、３２ｂ：第２導電端子部、３２ｃ：溝、３２ｄ：加締め孔、４０：給電回路基板、４０ｃ：給電回路基板の前端部、４１：コネクタ、４２：面状導電部
【図１】
2015128037.tif 000003
【図２】
2015128037.tif 000004
【図３】
2015128037.tif 000005
【図４】
2015128037.tif 000006
【図５】
2015128037.tif 000007
【図６】
2015128037.tif 000008
【図７】
2015128037.tif 000009
【図８】
2015128037.tif 000010
【図９】
2015128037.tif 000011